(57)【特許請求の範囲】
【請求項１】
トイレ室内の壁面に、取付角度を調節してトイレ室内設置物を取付けるための取付ユニットであって、
上記トイレ室内設置物を固定するための設置物固定部が設けられた取付フレームと、
この取付フレームから上記壁面に向かって突出し、この突出量が調整できるように上記取付フレームに取付けられた複数の調整部材と、
これらの調整部材の先端が夫々上記壁面に当接するように、上記取付フレームを上記壁面に固定するために、上記取付フレームを貫通して上記壁面に固定される複数の取付フレーム固定手段と、
を有し、
上記取付フレーム固定手段が、上記壁面に捩じ込まれることによって固定される固定用タッピングネジであり、
さらに、上記壁面に取付ける下地プレートを有し、上記各調整部材は、その先端が夫々上記下地プレートを介して上記壁面に当接され、上記固定用タッピングネジが上記下地プレートに捩じ込まれることを特徴とする取付ユニット。
【請求項２】
上記調整部材が、上記取付フレームに設けられた雌ネジ部に螺合される調整用ボルトである請求項１記載の取付ユニット。
【請求項３】
上記調整用ボルトの頭が上記壁面に対向する方向に露出されており、上記壁面に対して概ね直交する方向から上記調整用ボルトの頭を操作して、これを回転させ、その突出量を調整することができる請求項２記載の取付ユニット。
【請求項４】
上記固定用タッピングネジの頭が上記壁面に対向する方向に露出されており、上記壁面に対して概ね直交する方向から工具を挿入することにより上記固定用タッピングネジを回転させ、捩じ込むことができる請求項１乃至３の何れか１項に記載の取付ユニット。
【請求項５】
トイレ室内の壁面に、取付角度を調節して取付けることができる手摺構造物であって、
使用者によって把持される手摺部と、
この手摺部を固定するための手摺固定部が設けられた取付フレームと、
この取付フレームから上記壁面に向かって突出し、この突出量が調整できるように上記取付フレームに取付けられた少なくとも３つの調整部材と、
これらの調整部材の先端が夫々上記壁面に当接するように、上記取付フレームを上記壁面に固定するために、上記取付フレームを貫通して上記壁面に固定される複数の取付フレーム固定手段と、
を有することを特徴とする手摺構造物。
【発明の詳細な説明】
【技術分野】
【０００１】
本発明は、トイレ室内の壁面に、手摺や手洗器等のトイレ室内設置物を取付けるための取付ユニット及びそれを備えた手摺構造物に係わり、特に、トイレ室内設置物の取付角度を調節して取付けることができる取付ユニット及びそれを備えた手摺構造物に関する。
【背景技術】
【０００２】
特開平８−１６４０９３号公報（特許文献１）には、配管ユニットの手摺取付構造が記載されている。この配管ユニットの手摺取付構造では、トイレ室内の配管を収納する配管ユニットの前面に手摺固定用板を取付け、この手摺固定用板にトイレ室内設置物である手摺を取付けている。
【０００３】
また、トイレ室内設置物の鉛直方向角度等の取付角度を調整することができるトイレ室内設置物の取付け構造も知られている。このような取付角度の調整が可能な取付け構造では、まず、壁面に垂直な方向に突出した複数のアームを備えた壁面側フレームを壁面に取付け、次に、それら各アームに対応する位置に夫々アームが設けられた前面側フレームを、壁面側フレームと向かい合うように配置し、対応するアーム同士を連結することによって前面側フレームを壁面に平行に固定している。前面側フレームの壁面側フレームに対する角度は、連結されているアームの重なり代を変更することによって調節される。これにより、前面側フレームに固定される手摺等のトイレ室内設置物の取付角度が調節される。
【０００４】
【特許文献１】特開平８−１６４０９３号公報
【発明の開示】
【発明が解決しようとする課題】
【０００５】
しかしながら、特開平８−１６４０９３号公報記載の手摺取付構造や、上述した取付角度調節可能なトイレ室内設置物の取付構造では、手摺等を設置する壁面の前に箱型のフレームを配置することになるので、壁面からの前出寸法が大きくなる。これは、一般に十分なスペースを確保することが難しいトイレ室内において、特に問題となる。
従って、本発明は、トイレ室内設置物の取付角度調節を可能にしながら、小さい前出寸法でトイレ室内設置物を取付けることができる取付ユニット及びそれを備えた手摺構造物を提供することを目的としている。
【課題を解決するための手段】
【０００６】
上述した課題を解決するために、本発明は、トイレ室内の壁面に、取付角度を調節してトイレ室内設置物を取付けるための取付ユニットであって、トイレ室内設置物を固定するための設置物固定部が設けられた取付フレームと、この取付フレームから壁面に向かって突出し、この突出量が調整できるように取付フレームに取付けられた複数の調整部材と、これらの調整部材の先端が夫々壁面に当接するように、取付フレームを壁面に固定するために、取付フレームを貫通して壁面に固定される複数の取付フレーム固定手段と、を有し、取付フレーム固定手段が、壁面に捩じ込まれることによって固定される固定用タッピングネジであり、さらに、壁面に取付ける下地プレートを有し、各調整部材は、その先端が夫々下地プレートを介して壁面に当接され、固定用タッピングネジが下地プレートに捩じ込まれることを特徴としている。
【０００７】
このように構成された本発明においては、まず、各調整部材の先端が夫々壁面に当接したとき、取付フレームの適正な取付角度が得られるように、各調整部材の突出量を調整する。次に、各調整部材の先端を壁面に当接させた状態で、複数の取付フレーム固定手段を、取付フレームを通して壁面に固定することによって、取付フレームを壁面に取付ける。
また、まず、壁面に下地プレートを取付け、取付フレームは、各調整部材の先端が夫々下地プレートを介して壁面に当接され、固定用タッピングネジが下地プレートに捩じ込まれることによって壁面に固定される。
【０００８】
このように構成された本発明によれば、調整部材が突出した取付フレームを、取付フレームを通して壁面に固定される取付フレーム固定手段によって壁面に直接取付けることができるので、取付角度の調整を可能にしながら、小さい前出寸法でトイレ室内設置物を取付けることが可能になる。
また、このように構成された本発明によれば、非常に簡便な作業で、取付フレームを壁面に固定することができる。
さらに、このように構成された本発明によれば、トイレ室内設置物を取付ける壁面の強度が不足している場合にも、トイレ室内設置物を強固に取付けることができる。
【００１２】
本発明において、好ましくは、調整部材は、取付フレームに設けられた雌ネジ部に螺合される調整用ボルトである。
【００１３】
このように構成された本発明においては、調整用ボルトを回転させることにより、調整部材の突出量を調整する。
このように構成された本発明によれば、簡便な構造で、調整部材の突出量を容易に調整することができる。
【００１４】
本発明において、好ましくは、調整用ボルトの頭は壁面に対向する方向に露出されており、壁面に対して概ね直交する方向から調整用ボルトの頭を操作して、これを回転させ、その突出量を調整することができる。
このように構成された本発明によれば、調整用ボルトの頭が壁面に対向する方向に露出されているので、作業者は壁面に対して概ね直交する方向から工具等を挿入して調整用ボルトの突出量を調整することができる。これにより、取付けユニットの前出寸法が小さい場合であっても、容易に調整用ボルトの突出量を調整することができ、取付ユニットを設置する作業性を向上させることができる。
【００１５】
本発明において、好ましくは、固定用タッピングネジの頭が壁面に対向する方向に露出されており、壁面に対して概ね直交する方向から工具を挿入することにより固定用タッピングネジを回転させ、捩じ込むことができる。
このように構成された本発明によれば、固定用タッピングネジの頭が壁面に対向する方向に露出されているので、作業者は壁面に対して概ね直交する方向から工具を挿入して固定用タッピングネジを捩じ込むことができる。これにより、取付けユニットの前出寸法が小さい場合であっても、容易に固定用タッピングネジを捩じ込むことができ、取付ユニットを設置する作業性を向上させることができる。
【００１６】
また、本発明は、トイレ室内の壁面に、取付角度を調節して取付けることができる手摺構造物であって、使用者によって把持される手摺部と、この手摺部を固定するための手摺固定部が設けられた取付フレームと、この取付フレームから壁面に向かって突出し、この突出量が調整できるように取付フレームに取付けられた少なくとも３つの調整部材と、これらの調整部材の先端が夫々壁面に当接するように、取付フレームを壁面に固定するために、取付フレームを貫通して壁面に固定される複数の取付フレーム固定手段と、を有することを特徴としている。
【発明の効果】
【００１７】
本発明の取付ユニット及びそれを備えた手摺構造物によれば、トイレ室内設置物の取付角度調節を可能にしながら、小さい前出寸法でトイレ室内設置物を取付けることができる。
【発明を実施するための最良の形態】
【００１８】
次に、添付図面を参照して、本発明の好ましい実施形態による手摺構造物を説明する。
図１は、本発明の実施形態による手摺構造物を設置したトイレ室内を示す正面図である。図２は、本実施形態による手摺構造物を、トイレ室の壁面に取付けた状態を示す断面図である。
【００１９】
図１に示すように、本発明の実施形態による手摺構造物１は、水洗便器２やロールペーパーホルダ４等が設置されたトイレ室の壁面６に取付けられる。また、図２に示すように、本実施形態の手摺構造物１は、トイレ室の壁面６に固定される取付ユニット８と、この取付ユニット８に取付けられる手摺部１０と、を有する。本実施形態においては、手摺部１０は、取付ユニット８の３箇所の手摺物固定部２０ａ（図５）に固定される概ねＴ字形の形状を有する。なお、手摺構造物１の設置が完了した状態では、取付ユニット８は化粧板１２の背面側に隠れて、外部からは見えなくなる。
【００２０】
図３は、取付ユニット８を、手摺部１０、化粧板１２、及び化粧天板１２ａを取外して示した正面図であり、図４は、そのIV−IV断面図である。
図３及び図４に示すように、取付ユニット８は、壁面６に取付けられる２本の下地プレート１４と、この下地プレート１４に取付角度を調節して垂直に取付けられる取付フレーム１６と、を有する。
【００２１】
下地プレート１４は、図４に示すように、コの字型断面の金属製のチャネル材で構成されている。下地プレート１４は、その側面が壁面６に当接するように、水平方向に２本間隔を隔ててタッピングビス１４ａで壁面６に固定されている。
【００２２】
図５は、取付フレーム１６の正面図である。
図５に示すように、取付フレーム１６は、各下地プレート１４と重なるように配置される２本の水平部材１８と、手摺部１０を取付けるための２つの設置物固定部である手摺物固定部２０ａが設けられた垂直部材２０と、手摺物固定部２０ａが設けられ、垂直部材２０の途中から水平方向に延びる第２水平部材２１と、を有する。さらに、取付フレーム１６は、その上端を構成する上縁部材２２と、下端を構成する下縁部材２４と、両側の側端を構成する２本の側部材２６と、を有する。即ち、図５に示すように、取付フレーム１６は、上縁部材２２、下縁部材２４、及び側部材２６を結合することによって形成される長方形のフレームに、水平方向に２本の水平部材１８を渡し、鉛直方向に垂直部材２０を渡し、垂直部材２０から一方の側部材２６に第２水平部材２１を渡して固定することにより形成されている。
【００２３】
水平部材１８は、図３及び図４に示すように、下地プレート１４よりも幅が狭いコの字型断面の金属製のチャネル材で構成されており、下地プレート１４と向かい合って平行に重なるように位置決めされている。また、図４及び図５に示すように、各水平部材１８の壁面側には、４つのナット１８ａが溶接されており、これにより雌ネジ部を形成している。さらに、各ナット１８ａには、調整部材である調整用ボルト２８が螺合されている。従って、各調整用ボルト２８を回転させることにより、各調整用ボルト２８の突出量を調整することができる。また、各調整用ボルト２８には、固定用ナット３０が螺合されており、調整用ボルト２８の突出量を調整した後固定用ナット３０を締めることにより、調整用ボルト２８の位置を固定できるようになっている。
【００２４】
さらに、図４及び図５に示すように、各水平部材１８には、取付フレーム固定手段である固定用タッピングネジ３２を通すための８つの穴１８ｂが形成されている。これらの穴１８ｂを通して固定用タッピングネジ３２を下地プレート１４に捩じ込むことによって、取付フレーム１６が壁面に固定される。即ち、固定用タッピングネジ３２は、取付フレーム１６を貫通して壁面まで延びて壁面に固定される。また、各固定用タッピングネジ３２を下地プレート１４に捩じ込むことにより、各調整用ボルト２８の先端は、下地プレート１４を介して壁面６に当接される。ここで、固定用タッピングネジ３２を下地プレート１４に捩じ込むことにより発生する、調整用ボルト２８の先端を下地プレート１４に押付ける力は、水平部材１８をナット１８ａに押付けるように作用するため、水平部材１８とナット１８ａの溶接部に、それらを引き離す方向の力が働くことはない。
【００２５】
垂直部材２０は、図５に示すように、水平部材１８、上縁部材２２及び下縁部材２４に対して直角に固定されている。また、垂直部材２０には、手摺部１０を固定するための雌ネジが、２箇所に４つずつ形成されており、これにより、２つの手摺固定部２０ａを構成している。
第２水平部材２１は、その両端が、垂直部材２０及び一方の側部材２６に対して直角に固定されている。また、第２水平部材２１には、手摺部１０を固定するための雌ネジが、４つ形成されており、これにより、手摺固定部２０ａを構成している。
下縁部材２４は、取付フレーム１６の下端を構成する部材であり、不陸調整を行なうためのアジャスター２４ａが、下方に突出するように３箇所に設けられている。
【００２６】
次に、さらに図６乃至図８を参照して、本発明の実施形態による手摺構造物１の設置手順を説明する。図６は壁面６に下地プレート１４を取付けた状態を示す正面図であり、図７は、図６のVII−VII断面図である。また、図８は、取付フレーム１６の調整用ボルト２８の先端を下地プレート１４に当接させた状態を示す断面図である。
【００２７】
本実施形態の手摺構造物１を設置するには、まず、図６及び図７に示すように、２本の下地プレート１４を水平に所定の位置に取付ける。なお、ここで説明する例では、壁面６は、鉛直方向に立てられた軽量鉄骨（ＬＧＳ）６ｂに、プラスターボード６ａを取付けることによって構成されているものとする。本実施形態においては、各下地プレート１４は、夫々６本のタッピングビス１４ａによって壁面６に固定される。また、各タッピングビス１４ａを、図６に示すように、軽量鉄骨６ｂに対応する位置に捩じ込むことにより、下地プレート１４を壁面６に強固に取付けることができる。
【００２８】
次に、図３に示すように、取付フレーム１６を、壁面６に取付けた下地プレート１４の前に配置する。この状態で、下縁部材２４のアジャスター２４ａ（図５）を調節することにより不陸調整を行い、取付フレーム１６が床面上で正確に水平配置されるようにする。
【００２９】
次に、調整用ボルト２８を回転させることにより、取付フレーム１６が垂直になるように取付角度調整を行なう。具体的には、図８に示すように、各調整用ボルト２８の先端が下地プレート１４に当接した状態で、垂直部材２０が正確に鉛直方向に向けられ、壁面６と取付フレーム１６が平行になるように、各調整用ボルト２８の突出量を調整する。この際、調整用ボルト２８の頭は、壁面６に対向する方向に、即ち作業者の側に露出されているので、作業者は、容易に調整用ボルト２８を手動で回転させ、或いは、調整用ボルト２８をボックスレンチ等の工具で回転させることができる。各調整用ボルト２８の突出量を調整した後、それらに螺合されている各固定用ナット３０を締め、調整用ボルト２８の突出量を固定する。
【００３０】
次に、固定用タッピングネジ３２を、水平部材１８の穴１８ｂを通して下地プレート１４に捩じ込むことにより、取付フレーム１６を壁面６に固定する。より詳細には、まず、下地プレート１４の、各穴１８ｂに対応した位置に固定用タッピングネジ３２を捩じ込むための下穴（図示せず）を開けておき、固定用タッピングネジ３２を、各穴１８ｂを通して下穴に挿入する。次いで、固定用タッピングネジ３２をドライバー等で回転させることにより、固定用タッピングネジ３２は、下穴に雌ネジを形成しながら、下地プレート１４に捩じ込まれる（図４）。この際、固定用タッピングネジ３２の頭は、壁面６に対向する方向に、即ち作業者の側に露出されているので、作業者は、壁面６に直交する方向からドライバー等の工具を挿入して、固定用タッピングネジ３２を容易に回転させることができる。
【００３１】
本実施形態においては、各水平部材１８に対して８本ずつ、合計１６本の固定用タッピングネジ３２を締めこむことにより、取付フレーム１６が壁面６（下地プレート１４）に固定される。なお、各固定用タッピングネジ３２は下地プレート１４の下穴に雌ネジを形成しながら強固に下地プレート１４に固定されるので、壁面６裏の軽量鉄骨６ｂの位置とは無関係に、各固定用タッピングネジ３２の位置を設定することができる。
【００３２】
取付フレーム１６を壁面６に固定した後、取付フレーム１６の前面に化粧板１２を取付け、上面に化粧天板１２ａを取付ける（図２）。なお、化粧板１２の、各手摺固定部２０ａに対応した位置には、手摺固定部２０ａを露出させるための３つの丸穴１２ｂ（図２には２つのみ図示）が形成されている。最後に、これらの丸穴１２ｂを介して露出された手摺固定部２０ａに手摺部１０を取付け、手摺構造物１の設置が完了する（図１）。
【００３３】
本発明の実施形態の手摺構造物によれば、調整用ボルトが突出した取付フレームを、壁面に直接取付けることができるので、取付角度の調整を可能にしながら、小さい前出寸法で手摺部を垂直に取付けることが可能になる。
【００３４】
また、本実施形態の手摺構造物によれば、取付フレームが固定用タッピングネジによって壁面に固定されるので、非常に簡便な作業で、取付フレーム壁面に固定することができる。
【００３５】
さらに、本実施形態の手摺構造物によれば、各調整用ボルトの先端が夫々下地プレートを介して壁面に当接され、固定用タッピングネジが下地プレートに捩じ込まれることによって取付フレームが固定されるので、手摺部を取付ける壁面の強度が不足している場合にも、手摺部を強固に取付けることができる。
【００３６】
以上、本発明の好ましい実施形態を説明したが、上述した実施形態に種々の変更を加えることができる。特に、上述した実施形態は、壁面に固定された取付ユニットに手摺部を取付けた手摺構造物であるが、取付ユニットには、壁掛け式の手洗器、洗面器等、トイレ室内の壁面に取付けられる任意のトイレ室内設置物を取付けることができる。この場合には、上述した実施形態における手摺固定部は、設置物固定部として機能する。
【００３７】
また、上述した実施形態では、壁面に下地プレートを取付け、調整用ボルトの先端を、下地プレートを介して壁面に当接させていたが、壁面が鉄筋コンクリートや合板等で形成されており、十分な強度を有する場合には、下地プレートを省略することができる。この場合には、調整用ボルトの先端は壁面に直接当接され、固定用タッピングネジは壁面に直接捩じ込まれる。
【００３８】
さらに、上述した実施形態においては、８本の調整用ボルトによって取付フレームの取付角度を調整し、１６本の固定用タッピングネジによって取付フレームを固定していたが、これらの数は適宜変更することができる。特に、取付フレームの取付角度は、最低３本の調整用ボルトで規定することができる。
【００３９】
また、上述した実施形態においては、取付フレームを、固定用タッピングネジによって壁面に固定していたが、設置する壁面の状態に応じて、各種ネジ、釘、スクリュー釘等、任意の固定手段を使用することができる。
【００４０】
なお、本明細書において、タッピングネジとは、木ネジ、タッピングボルト等、回転力を与えることによって、予め雌ネジが形成されていない部材に雌ネジを形成しながら進入する固定具全般を含むものとする。
【図面の簡単な説明】
【００４１】
【図１】本発明の実施形態による手摺構造物を設置したトイレ室内を示す正面図である。
【図２】本発明の実施形態による手摺構造物をトイレ室の壁面に取付けた状態を示す断面図である。
【図３】取付ユニットを、手摺部、化粧板、及び化粧天板を取外して示した正面図である。
【図４】図３のIV−IV線に沿う断面図である。
【図５】取付フレームの正面図である。
【図６】壁面に下地プレートを取付けた状態を示す正面図である。
【図７】図６のVII−VII線に沿う断面図である。
【図８】取付フレームの調整用ボルトの先端を下地プレートに当接させた状態を示す断面図である。
【符号の説明】
【００４２】
１    手摺構造物
２    水洗便器
４    ロールペーパーホルダ
６    壁面
６ａ  プラスターボード
６ｂ  軽量鉄骨
８    取付ユニット
１０  手摺部
１２  化粧板
１２ａ  化粧天板
１４    下地プレート
１４ａ  タッピングビス
１６    取付フレーム
１８    水平部材
１８ａ  ナット
１８ｂ  穴
２０    垂直部材
２０ａ  手摺固定部
２１    第２水平部材
２２    上縁部材
２４    下縁部材
２４ａ  アジャスター
２６    側部材
２８    調整用ボルト
３０    固定用ナット
３２    固定用タッピングネジ
【図１】
0004621986.tif 000002
【図２】
0004621986.tif 000003
【図３】
0004621986.tif 000004
【図４】
0004621986.tif 000005
【図５】
0004621986.tif 000006
【図６】
0004621986.tif 000007
【図７】
0004621986.tif 000008
【図８】
0004621986.tif 000009